(57)【要約】【課題】発光管アレイの背面側に凹凸が生じている場合であっても、製造工程において発光管アレイに障害が発生する可能性を低減することが可能な発光管アレイ型表示サブモジュール及び表示装置を提供する。【解決手段】複数の発光管を並列に配置した発光管アレイを、アドレス電極が形成してあるアドレス電極シートと、表示電極が形成してある表示電極シートとの間に挟持してある発光管アレイ型表示サブモジュールであって、発光管アレイは、発光管アレイより柔軟な材質で形成され、該発光管アレイのアドレス電極シートの凹凸に沿って変形する中間層を介してサブモジュールフレームに固定してある。【選択図】図３
2010027598.tif 000002
【特許請求の範囲】
【請求項１】
内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールにおいて、
前記発光管アレイは、前記アドレス電極シートの背面側の表面形状に沿って変形することが可能な中間層を介してサブモジュールフレームに固定するようにしてあることを特徴とする発光管アレイ型表示サブモジュール。
【請求項２】
前記中間層及びアドレス電極シートと発光管とを固着している接着層は溶剤型粘着層であり、前記接着層は、前記中間層と接触しない位置にて前記アドレス電極シートと前記発光管とを固着するようにしてあることを特徴とする請求項１記載の発光管アレイ型表示サブモジュール。
【請求項３】
前記中間層は、複数の発光管ごとに分割されたアドレス電極シートと発光管とを固着している第一の接着層及び表示電極シートと発光管とを固着している第二の接着層に対し、前記アドレス電極シートの隙間及び隣接する発光管の隙間を通して接触するよう形成してあることを特徴とする請求項１記載の発光管アレイ型表示サブモジュール。
【請求項４】
前記中間層は、複数の発光管ごとに分割されたアドレス電極シートと発光管とを固着している第一の接着層に対し、前記アドレス電極シートの隙間及び隣接する発光管の隙間を通して接触し、表示電極シートと発光管とを固着している第二の接着層は、前記中間層と接触しない位置にて前記アドレス電極シートと前記発光管とを固着するようにしてあることを特徴とする請求項１記載の発光管アレイ型表示サブモジュール。
【請求項５】
請求項１乃至４のいずれか一項に記載の発光管アレイ型表示サブモジュールを複数接続して構成してあることを特徴とする表示装置。
【請求項６】
内部に放電ガスが封入された複数の発光管を並列に配置してあり、背面側に位置して各発光管の長手方向に沿ったアドレス電極が複数形成してあるアドレス電極シートと、正面側に位置してすべての発光管を横切る方向に延伸する表示電極が複数形成してある表示電極シートとの間に、前記複数の発光管を挟持してある表示装置において、
前記アドレス電極シートの背面側の表面形状に沿って変形することが可能な柔軟性を有する中間層を介して、硬質の背面支持プレートを設けてあることを特徴とする表示装置。
【請求項７】
前記中間層は、ヤング率が１０ＫＰａ以上２００ＫＰａ以下であるゲル状材料で構成されていることを特徴とする請求項６記載の表示装置。
【請求項８】
前記背面支持プレートは、ヤング率が１０００ＫＰａ以上４０００ＫＰａ以下である硬質プラスチックで構成されていることを特徴とする請求項６又は７記載の表示装置。
【請求項９】
内部に放電ガスが封入された複数の発光管を並列に配置してあり、背面側に位置して各発光管の長手方向に沿ったアドレス電極が複数形成してあるアドレス電極シートと、正面側に位置してすべての発光管を横切る方向に延伸する表示電極が複数形成してある表示電極シートとの間に、前記複数の発光管を挟持してある表示装置において、
前記アドレス電極シートの背面側の表面形状に沿って変形することが可能な吸音機能を有する中間層を介して、音反射機能を有する硬質の背面支持プレートを設けてあることを特徴とする表示装置。
【請求項１０】
前記中間層はゲル状材料で構成され、前記背面支持プレートは硬質プラスチックで構成されていることを特徴とする請求項９記載の表示装置。
【発明の詳細な説明】
【技術分野】
【０００１】
本発明は、複数の発光管を並列に配置してある発光管アレイを用いる発光管アレイ型表示サブモジュール及び表示装置に関し、さらに詳しくは、発光管アレイの背面側のアドレス電極シートに凹凸が生じている場合であっても、発光管アレイに障害を発生させることなくサブモジュールフレームへ確実に取り付けることができる発光管アレイ型表示サブモジュール及び表示装置に関する。
【背景技術】
【０００２】
新世代の大画面表示装置を実現する技術として、内部に放電ガスが封入されたプラズマチューブと呼ばれる複数の発光管を並列に配置してある発光管アレイ型表示サブモジュールが開発されている。例えば１ｍ四方の発光管アレイ型表示サブモジュールを複数接続した発光管アレイ型表示システムモジュールを用いて数ｍ×数ｍ規模の大画面表示装置を構築することができる。発光管アレイ型表示サブモジュールを複数接続した形式の表示装置では、ＬＣＤ、ＰＤＰ等のように大型のガラス基板を扱う必要がなく、大規模な設備も不要となり、少ないコストで、画質が均質となる表示装置を提供することができる。
【０００３】
一般に発光管アレイ型表示装置は、発光管アレイを、一定の大きさを有するサブモジュールフレームと呼ばれる構造体に一体化した発光管アレイ型表示サブモジュールを作成し、複数の発光管アレイ型表示サブモジュールを接続することで大画面を構成することができる。ここで、「発光管アレイ型表示サブモジュール」とは、発光管を含めた上述のような表示フィルム部品であって、駆動回路、電源回路等を含まない表示パネルの半完成品を意味している。図１は、従来の発光管アレイ型表示サブモジュールの発光管アレイの構成を模式的に示す斜視図である。図１（ａ）は、発光管アレイ型表示サブモジュールの発光管アレイの構成を模式的に示す斜視図であり、図１（ｂ）は、発光管アレイ型表示サブモジュールの発光管アレイの構成を部分的に示す斜視図であり、図１（ｃ）は、発光管アレイ型表示サブモジュールを縦横に接続した状態を示す斜視図である。
【０００４】
図１（ａ）に示すように、従来の発光管アレイ型表示サブモジュール３０は、矩形画面の一部を構成する発光管アレイ型表示サブモジュール３０であることから、矩形形状を有しており、内部に放電ガスが封入された複数の発光管３１、３１、・・・を並列に配置している。発光管３１、３１、・・・はガラス製の放電細管であり、管体となる細管の径は、特に大きさが限定されるものではないが、直径０．５〜５ｍｍ程度であることが望ましい。細管の形状は、円形の断面、扁平楕円状の断面、方形の断面等、どのような形状の断面を有していてもよい。また、発光管３１、３１、・・・の内部にはネオン、キセノン等の放電ガスが所定の割合で所定の圧力で封入されている。
【０００５】
並列に配置された複数の発光管３１、３１、・・・は、各発光管３１の長手方向下面に接するように配設されているアドレス電極３２、３２、・・・を有する背面側のアドレス電極シート３３と、各発光管３１の長手方向の上面を横切る方向に配設されている表示電極３４、３４、・・・を有する表面側の表示電極シート３５とに挟持されている。表示電極シート３５はフレキシブルシートであり、例えばポリカーボネートフィルム、ＰＥＴ（ポリエチレンテレフタレート）フィルム等で構成されている。
【０００６】
複数の表示電極３４、３４、・・・は、表示電極シート３５の内面にストライプ状に配設されており、各発光管３１の上面を横切るように接している。表示電極対を構成する隣接する表示電極３４、３４がＸ電極及びＹ電極として機能し、Ｘ電極とＹ電極との間で発光管３１、３１、・・・内に表示放電を発生させることになる。表示電極３４のパターンは、ストライプ形状のほか、メッシュ状、梯子状、くし歯状等、当該分野で公知のパターンにて形成することができる。また、表示電極３４に用いられる材料としては、例えば、ＩＴＯ（酸化錫ドープ酸化インジウム）、ＳｎＯ2 等の透明な導電性材料や、Ａｇ、Ａｕ、Ａｌ、Ｃｕ、Ｃｒ等の金属の導電性材料が挙げられる。
【０００７】
表示電極３４の形成方法としては、当該分野で公知の各種の方法を適用することができる。例えば、印刷等の厚膜形成技術を用いて形成しても良いし、物理的堆積法又は化学的堆積法からなる薄膜形成技術を用いて形成しても良い。厚膜形成技術としては、スクリーン印刷法等が挙げられる。薄膜形成技術のうち、物理的堆積法としては、蒸着法、スパッタ法等が挙げられる。化学的堆積法としては、熱ＣＶＤ法、光ＣＶＤ法、あるいはプラズマＣＶＤ法等が挙げられる。
【０００８】
アドレス電極３２、３２、・・・は、発光管アレイ型表示サブモジュール３０の背面に、発光管３１、３１、・・・の長手方向に沿って発光管３１ごとに設けられ、対となる表示電極３４、３４、・・・との交差部に発光セルを形成する。アドレス電極３２も、当該分野で公知の各種の材料と方法とを用いて形成することができる。
【０００９】
上記構成において、発光管アレイ型表示サブモジュール３０をカラー表示対応とする場合には、図１（ｂ）に示すように、発光管３１ごとに赤色（Ｒ）用の蛍光体層３６Ｒ、緑色（Ｇ）用の蛍光体層３６Ｇ、青色（Ｂ）用の蛍光体層３６Ｂを有する。ＲＧＢ３色の発光管３１、３１、３１を一組として一つの画素を構成することで、カラー表示に対応することができる。なお、蛍光体層３６は、赤色（Ｒ）用の蛍光体層３６Ｒでは、紫外線照射により赤色発光する（Ｙ、Ｇｄ）ＢＯ3 ：Ｅｕ3+等の蛍光体材料を用いる。緑色（Ｇ）用の蛍光体層３６Ｇでは、緑色発光するＺｎ2 ＳｉＯ4 ：Ｍｎ等の蛍光体材料を用い、青色（Ｂ）用の蛍光体層３６Ｂでは、青色発光するＢａＭｇＡｌ12Ｏ17：Ｅｕ2+等の蛍光体材料を用いる。この場合、発光管アレイ型表示サブモジュール３０のフレキシビリティを増し、かつ組立を容易にするため、ＲＧＢ３色の発光管３本を組にして短冊状の背面側のアドレス電極シート３３に貼り付けた発光管ユニットを作成し、複数の発光管ユニットを表面側の表示電極シート３５に共通に貼り付けてカラー表示用の発光管アレイ型表示サブモジュール３０を製造することが好ましい。
【００１０】
図１（ｃ）は、上述した発光管アレイ型表示サブモジュール３０を縦横に接続した発光管アレイ型表示システムモジュール４５を模式的に示す斜視図である。図１（ｃ）では、４枚の発光管アレイ型表示サブモジュール３０、３０、・・・から１枚の大画面用の発光管アレイ型表示システムモジュール４５を構成しており、１枚１枚の発光管アレイ型表示サブモジュール３０は、駆動回路、電源回路等を含まない半完成品である。大画面用の発光管アレイ型表示システムモジュール４５を構成した段階で、全体を一つの表示フィルムとして駆動回路、電源回路等を組み込むことで、発光管アレイ型表示サブモジュール３０、３０、・・・ごとに表示画像の品質のばらつきが少ない大画面用の表示装置を構成することができる。横方向に連結された発光管アレイ型表示サブモジュール３０、３０間は互いの表示電極３４、３４同士を本発明の接続構成で接続することにより共通駆動することができ、縦方向に連結された発光管アレイ型表示サブモジュール３０、３０は、それぞれのアドレス電極３２、３２を画面の上と下に導出してアドレス駆動回路に接続することで、アドレス電極３２、３２同士は接続することなく、上側２個の発光管アレイ型表示サブモジュール３０、３０の画面と下側２個の発光管アレイ型表示サブモジュール３０、３０の画面とを公知のいわゆるデュアルスキャンの手法にて並行して駆動させることができる。
【先行技術文献】
【特許文献】
【００１１】
【特許文献１】特開２００３−３３８２４５号公報
【特許文献２】特開２００３−０４３９３７号公報
【発明の概要】
【発明が解決しようとする課題】
【００１２】
上述のように発光管アレイ自体は、フレキシブルシートであるアドレス電極シート３３及び表示電極シート３５により発光管３１、３１、・・・を挟持していることから、そのままでは形状を維持することは困難である。したがって、通常はサブモジュールフレームと呼ばれる構造体に発光管アレイを貼り付けた状態で発光管アレイ型表示サブモジュール３０を構成し、複数枚を接続することにより大画面表示装置用表示パネルを形成している。
【００１３】
しかし、発光管アレイの背面側のアドレス電極シート３３には、歪み、反り等の変形が生じる、切断時に切断面の突起（バリ）等が生じる等に起因する凹凸が生じることがある。また、発光管３１自体にも製造誤差が生じることから管径等のサイズが一定ではなく、アドレス電極シート３３と表示電極シート３５とで発光管アレイを挟持した場合に、表示電極シート３５側に凹凸が生じるおそれもあった。
【００１４】
このような凹凸が生じたまま、平坦又は湾曲した表示面形状を有する支持プレート若しくはサブモジュールフレームへ発光管アレイを貼り付けた場合、サブモジュールフレームの表面にて発光管アレイの背面が平坦になるよう強制され、それによって生じる応力等により発光管アレイの形状が変形する、残留応力が生じる、発光管アレイとアドレス電極シート３３又は表示電極シート３５とが剥離する等の障害が発生するおそれがあるという問題点があった。
【００１５】
また、複数の発光管３１、３１、・・・を並列に配置してあるので、駆動電圧が印加された場合には発光管内部の圧力変動、温度変化等に起因して発光管３１、３１、・・・の形状が微妙に変動する。さらに、発光管自体の製造精度にもばらつきがあり、管径等のサイズの不一致等も生じており、これらの要因が互いに関連しあうことにより、駆動入力パターンによっては発光管アレイに固有の振動モードと共振し、発光管アレイ表面から異音が発生するという現象が生じる。
【００１６】
異音が表示装置の正面側から漏れ出るのを防止するためには、遮音効果を有する遮音膜を表示画面の前面に設ける必要がある。例えば特許文献２には、プラズマディスプレイの衝撃緩和を目的としたディスプレイ用フィルタ（フィルム）が開示されているが、外部からの衝撃を緩和することはできても、内部から発生する異音が外部へ漏れ出るのを防止する機能については開示も示唆もされていない。
【００１７】
本発明は斯かる事情に鑑みてなされたものであり、発光管アレイの背面側のアドレス電極シートに凹凸が生じている場合であっても、製造工程において発光管アレイに障害が発生する可能性を低減することが可能な発光管アレイ型表示サブモジュール及び表示装置を提供することを目的とする。
【００１８】
また、本発明は、発光管アレイ表面から発生する異音が表示装置の正面側から漏れ出ることを効果的に抑制することができる表示装置を提供することも目的とする。
【課題を解決するための手段】
【００１９】
上記目的を達成するために第１発明に係る発光管アレイ型表示サブモジュールは、内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールにおいて、前記発光管アレイは、前記アドレス電極シートの背面側の表面形状に沿って変形することが可能な中間層を介してサブモジュールフレームに固定するようにしてあることを特徴とする。
【００２０】
第１発明では、発光管アレイは、アドレス電極シートの背面側の表面形状に沿って変形することが可能な中間層を介してサブモジュールフレームに固定してある。発光管アレイの背面側の表面形状がどのような形状であっても、中間層がアドレス電極シートの背面側の表面形状に沿った形状に変形して発光管アレイを支持することができるので、発光管アレイに残留応力が発生することもなく、正面側の表示電極シートの表面形状に凹凸が生じることを未然に回避することが可能となる。
【００２１】
また、第２発明に係る発光管アレイ型表示サブモジュールは、第１発明において、前記中間層及びアドレス電極シートと発光管とを固着している接着層は溶剤型粘着層であり、前記接着層は、前記中間層と接触しない位置にて前記アドレス電極シートと前記発光管とを固着するようにしてあることを特徴とする。
【００２２】
第２発明では、中間層及びアドレス電極シートと発光管とを固着している接着層が溶剤型粘着層であることから、中間層と接着層とが接触した場合には化学反応が生じることにより両者が溶解する可能性がある。そこで、接着層が、中間層と接触しない位置にてアドレス電極シートと発光管とを固着することにより、アドレス電極シート及び発光管を固着している接着層と中間層とが接触する可能性がなく、しかも中間層の厚みを薄くすることができることから、薄型表示装置を構成する発光管アレイ型表示サブモジュールを高い品質にて提供することが可能となる。
【００２３】
また、第３発明に係る発光管アレイ型表示サブモジュールは、第１発明において、前記中間層は、複数の発光管ごとに分割されたアドレス電極シートと発光管とを固着している第一の接着層及び表示電極シートと発光管とを固着している第二の接着層に対し、前記アドレス電極シートの隙間及び隣接する発光管の隙間を通して接触するよう形成してあることを特徴とする。
【００２４】
第３発明では、中間層が、複数の発光管ごとに分割されたアドレス電極シートと発光管とを固着している第一の接着層及び表示電極シートと発光管とを固着している第二の接着層に、アドレス電極シートの隙間及び隣接する発光管の隙間を通して接触した場合であっても、互いに化学反応が生じることがなく、発光管アレイの品質を損ねることなくサブモジュールフレームに発光管アレイを固定することができる。また、発光管を所定の位置に固定するよう中間層にて支持することができることから、発光管の振動に起因する固有の異音の発生も未然に防止することが可能となる。
【００２５】
また、第４発明に係る発光管アレイ型表示サブモジュールは、第１発明において、前記中間層は、複数の発光管ごとに分割されたアドレス電極シートと発光管とを固着している第一の接着層に対し、前記アドレス電極シートの隙間及び隣接する発光管の隙間を通して接触し、表示電極シートと発光管とを固着している第二の接着層は、前記中間層と接触しない位置にて前記アドレス電極シートと前記発光管とを固着するようにしてあることを特徴とする。
【００２６】
第４発明では、中間層が、複数の発光管ごとに分割されたアドレス電極シートと発光管とを固着している第一の接着層に対し、前記アドレス電極シートの隙間及び隣接する発光管の隙間を通して接触し、表示電極シートと発光管とを固着している第二の接着層は、中間層と接触しない位置にてアドレス電極シートと発光管とを固着するようにしてあることから、第一の接着層と第二の接着層とで異なる接着剤を用いることができるとともに、第二の接着層は中間層と接触しないことから接着剤の種類が限定されない。したがって、汎用性の高い接着剤を用いた場合であっても、中間層がアドレス電極シートの背面側の表面形状に沿った形状に変形して発光管アレイを支持することができるので、コストを抑制しつつ、正面側の表示電極シートの表面形状に凹凸が生じることを未然に回避することが可能となる。
【００２７】
また、第５発明に係る表示装置は、第１乃至第４発明のいずれか１つの発光管アレイ型表示サブモジュールを複数接続して構成してあることを特徴とする。
【００２８】
第５発明では、上述した発光管アレイ型表示サブモジュールを縦横に複数接続して表示パネルを構成することにより発光管アレイの背面側の表面形状がどのような形状であっても、中間層がアドレス電極シートの背面側の表面形状に沿った形状に変形して発光管アレイを支持することができるので、発光管アレイに残留応力が発生することもなく、正面側の表示電極シートの表面形状に凹凸が生じることを未然に回避することが可能となる。したがって、内部構造の変化に起因する電気的特性の劣化を防止することができ、高い品質の画像を提供することができる表示装置を提供することが可能となる。
【００２９】
次に、上記目的を達成するために第６発明に係る表示装置は、内部に放電ガスが封入された複数の発光管を並列に配置してあり、背面側に位置して各発光管の長手方向に沿ったアドレス電極が複数形成してあるアドレス電極シートと、正面側に位置してすべての発光管を横切る方向に延伸する表示電極が複数形成してある表示電極シートとの間に、前記複数の発光管を挟持してある表示装置において、前記アドレス電極シートの背面側の表面形状に沿って変形することが可能な柔軟性を有する中間層を介して、硬質の背面支持プレートを設けてあることを特徴とする。
【００３０】
第６発明では、アドレス電極シートの背面側の表面形状に沿って変形することが可能な柔軟性を有する中間層を介して硬質の背面支持プレートを設けてあることにより、発光管アレイの背面側の表面形状がどのような形状であっても、中間層がアドレス電極シートの背面側の表面形状に沿った形状に変形して発光管アレイを支持することができるので、発光管アレイに残留応力が発生することもなく、正面側の表示電極シートの表面形状に凹凸が生じることを未然に回避することが可能となる。また、アドレス電極シートの背面側に柔軟性を有する中間層を設けてあることにより、発光管アレイ表面から発生する固有の異音を吸音することができ、画像を見る者に音による不快感を与えることがない表示装置を提供することが可能となる。
【００３１】
また、第７発明に係る表示装置は、第６発明において、前記中間層は、ヤング率が１０ＫＰａ以上２００ＫＰａ以下であるゲル状材料で構成されていることを特徴とする。
【００３２】
また、第８発明に係る表示装置は、第６又は第７発明において、前記背面支持プレートは、ヤング率が１０００ＫＰａ以上４０００ＫＰａ以下である硬質プラスチックで構成されていることを特徴とする。
【００３３】
第７及び第８発明では、中間層を、ヤング率が１０ＫＰａ以上２００ＫＰａ以下であるゲル状材料で構成し、及び／又は背面支持プレートを、ヤング率が１０００ＫＰａ以上４０００ＫＰａ以下である硬質プラスチックで構成することにより、発光管アレイの背面側の表面形状がどのような形状であっても、中間層がアドレス電極シートの背面側の表面形状に沿った形状に変形して発光管アレイを支持することができるので、発光管アレイに残留応力が発生することもなく、正面側の表示電極シートの表面形状に凹凸が生じることを未然に回避することが可能となる。また、アドレス電極シートの背面側に柔軟性を有する中間層を設けてあることにより、発光管アレイから発生する固有の異音を吸音することができ、画像を見る者に音による不快感を与えることがない表示装置を提供することが可能となる。
【００３４】
次に、上記目的を達成するために第９発明に係る表示装置は、内部に放電ガスが封入された複数の発光管を並列に配置してあり、背面側に位置して各発光管の長手方向に沿ったアドレス電極が複数形成してあるアドレス電極シートと、正面側に位置してすべての発光管を横切る方向に延伸する表示電極が複数形成してある表示電極シートとの間に、前記複数の発光管を挟持してある表示装置において、前記アドレス電極シートの背面側の表面形状に沿って変形することが可能な吸音機能を有する中間層を介して、音反射機能を有する硬質の背面支持プレートを設けてあることを特徴とする。
【００３５】
第９発明では、アドレス電極シートの背面側の表面形状に沿って変形することが可能な吸音機能を有する中間層を介して、音反射機能を有する硬質の背面支持プレートを設けてあることにより、発光管アレイの背面側の表面形状がどのような形状であっても、中間層がアドレス電極シートの背面側の表面形状に沿った形状に変形して発光管アレイを支持することができ、発光管アレイから発生する固有の異音を吸音することができ、画像を見る者に音による不快感を与えることがない表示装置を提供することが可能となる。
【００３６】
また、第１０発明に係る表示装置は、第９発明において、前記中間層はゲル状材料で構成され、前記背面支持プレートは硬質プラスチックで構成されていることを特徴とする。
【００３７】
第１０発明では、中間層をゲル状材料で構成し、背面支持プレートを硬質プラスチックで構成することにより、発光管アレイの背面側の表面形状がどのような形状であっても、中間層がアドレス電極シートの背面側の表面形状に沿った形状に変形して発光管アレイを支持することができ、発光管アレイから発生する固有の異音を吸音することができ、画像を見る者に音による不快感を与えることがない表示装置を提供することが可能となる。
【発明の効果】
【００３８】
上記のように、発光管アレイは、アドレス電極シートの背面側の表面形状に沿って変形することが可能な中間層を介してサブモジュールフレームに固定してある。発光管アレイの背面側の表面形状がどのような形状であっても、中間層がアドレス電極シートの背面側の表面形状に沿った形状に変形して発光管アレイを支持することができるので、発光管アレイに残留応力が発生することもなく、正面側の表示電極シートの表面形状に凹凸が生じることを未然に回避することが可能となる。
【図面の簡単な説明】
【００３９】
【図１】従来の発光管アレイ型表示サブモジュールの発光管アレイの構成を模式的に示す斜視図である。
【図２】発光管アレイの発光管に直交する面での断面図である。
【図３】凹凸が生じている発光管アレイを用いた場合の発光管アレイ型表示サブモジュールの構成の例示図である。
【図４】発光管ごとにアドレス電極シートを設けた場合の、凹凸が生じている発光管アレイを用いたときの発光管アレイ型表示サブモジュールの構成の例示図である。
【図５】凹凸が生じている発光管アレイを用いたときの発光管アレイ型表示サブモジュールの発光管に沿ったアドレス電極を含む面での例示断面図である。
【図６】本発明の実施の形態１に係る発光管アレイ型表示サブモジュールの概略構成を示す、発光管に直交する面での断面図である。
【図７】本発明の実施の形態１に係る発光管アレイ型表示サブモジュールの発光管に沿ったアドレス電極を含む面での例示断面図である。
【図８】本発明の実施の形態１に係る発光管アレイ型表示サブモジュールの概略構成を示す、発光管に直交する面での断面図である。
【図９】本発明の実施の形態２に係る発光管アレイ型表示サブモジュールの概略構成を示す、発光管に直交する面での断面図である。
【図１０】発光管ごとにアドレス電極シートを設けた場合の、本発明の実施の形態２に係る発光管アレイ型表示サブモジュールの概略構成を示す、発光管に直交する面での断面図である。
【図１１】本発明の実施の形態３に係る発光管アレイ型表示サブモジュールの概略構成を示す、発光管に直交する面での断面図である。
【図１２】発光管ごとにアドレス電極シートを設けた場合の、本発明の実施の形態３に係る発光管アレイ型表示サブモジュールの概略構成を示す、発光管に直交する面での断面図である。
【図１３】本発明の実施の形態４に係る発光管アレイ型表示サブモジュールの概略構成を示す、発光管に直交する面での断面図である。
【発明を実施するための形態】
【００４０】
以下、本発明の実施の形態に係る発光管アレイ型表示サブモジュールについて、図面に基づいて詳細に説明する。
【００４１】
（実施の形態１）
図２は、発光管アレイの発光管３１、３１、・・・に直交する面での断面図である。図２（ａ）はカラー表示対応とした３つの発光管３１、３１、３１を一組として、一組ごとにアドレス電極シート３３を設けた場合の断面図を、図２（ｂ）は発光管３１ごとにアドレス電極シート３３を設けた場合の断面図を、それぞれ示している。
【００４２】
図２（ａ）の（Ｉ）及び図２（ｂ）の（Ｉ）は、正常に製造された場合の発光管アレイの状態を示している。すなわち、アドレス電極シート３３のアドレス電極３２上に３つで一組となった発光管３１、３１、３１を、接着剤等の粘着層（第一の接着層）３８を介して接着し、表示電極３４が設けてある表示電極シート３５に接着剤等の粘着層（第二の接着層）３７を介して接着している。発光管３１には赤色、緑色、青色それぞれの蛍光体層３６Ｒ、３６Ｇ、３６Ｂが内部に形成されている。
【００４３】
アドレス電極シート３３を切断する場合、図２（ａ）の（II）及び図２（ｂ）の（II）に示すように、アドレス電極シート３３の端部にバリ３９が発生するおそれがある。また、湿気、温度等によってはアドレス電極シート３３に反りが生じるおそれもある。図２（ａ）の（III ）及び図２（ｂ）の（III ）には、アドレス電極シート３３ａに反りが生じている場合の発光管アレイの状態を示している。このような反りが生じた場合、アドレス電極シート３３ａと粘着層３８との間に隙間が生じやすい。
【００４４】
さらに、発光管３１の管径等のサイズの相違によってもアドレス電極シート３３の背面側の表面形状に凹凸が生じる。例えば図２（ａ）の（IV）及び図２（ｂ）の（Ｖ）には、発光管３１ａのサイズが他の発光管３１よりも大きいことに起因してアドレス電極シート３３側に凹凸が生じている。発光管３１ごとにアドレス電極シート３３を設けた場合には、図２（ｂ）の（IV）に示すように、発光管３１ｂが傾いて取り付けられることによりアドレス電極シート３３の背面側の表面形状に凹凸が生じる場合もある。
【００４５】
上述のようなアドレス電極シート３３の背面側の表面形状に凹凸が生じている発光管アレイを用いて発光管アレイ型表示サブモジュールを形成する場合、サブモジュールフレーム（背面支持プレート）は硬質部材であることから、正面側に位置する表示電極シート３５の表面形状に凹凸が生じる。図３は、アドレス電極シート３３の背面側の表面形状に凹凸が生じている発光管アレイを用いた場合の発光管アレイ型表示サブモジュールの構成の例示図である。図３（ａ）は、サブモジュールフレームが直線状である場合を、図３（ｂ）はサブモジュールフレームが曲線である場合を、それぞれ示している。
【００４６】
図３（ａ）及び（ｂ）に示すように、アドレス電極シート３３の背面側の表面形状に凹凸が生じている発光管アレイをサブモジュールフレーム４０上に接着剤等の粘着層４２を介して接着する場合、バリ３９の存在、アドレス電極シート３３ａの反り、発光管３１ａの管径等のサイズの相違による凹凸の存在等に起因して、表示電極シート３５の表面形状にも凹凸が生じ、表示電極シート３５の粘着層３７と発光管３１、３１、・・・との間に剥離部４１が複数生じている。また、サブモジュールフレーム４０とアドレス電極シート３３との間にある、粘着層４２と発光管３１、３１、・・・との間には、空間部４３が複数生じている。さらに、剥離が生じていない部分においても残留応力が発生しており、発光管３１内の放電保護膜の劣化を招き、電気的特性が悪化する。したがって、駆動電圧を印加した場合であっても所望の電界強度を得ることができず、電気的特性が大幅に悪化するという問題が生じていた。
【００４７】
図４は、発光管３１ごとにアドレス電極シート３３を設けた場合の、アドレス電極シート３３の背面側の表面形状に凹凸が生じている発光管アレイを用いたときの発光管アレイ型表示サブモジュールの構成の例示図である。図３と同様、アドレス電極シート３３の背面側の表面形状に凹凸が生じている発光管アレイをサブモジュールフレーム４０上に接着剤等の粘着層４２を介して接着する場合、バリ３９の存在、アドレス電極シート３３ａの反り、発光管３１ａの管径等のサイズの相違による凹凸の存在等に起因して、表示電極シート３５の表面形状にも凹凸が生じ、表示電極シート３５の粘着層３７と発光管３１、３１、・・・との間に剥離部４１が複数生じている。また、粘着層４２と発光管３１、３１、・・・との間には空間部４３が複数生じている。
【００４８】
図５は、アドレス電極シート３３の背面側の表面形状に凹凸が生じている発光管アレイを用いたときの発光管アレイ型表示サブモジュールの発光管３１に沿ったアドレス電極３２を含む面での例示断面図である。方向は相違しても図３及び図４と同様、アドレス電極シート３３の背面側の表面形状に凹凸が生じている発光管アレイをサブモジュールフレーム４０上に接着剤等の粘着層４２を介して接着する場合、バリの存在、アドレス電極シート３３の反り、発光管の管径等のサイズの相違による凹凸の存在等に起因して、表示電極シート３５の表面形状にも凹凸が生じるとともに、発光管３１自体が変形した変形部５１が生じるおそれがある。発光管３１が変形することにより、アドレス電極シート３３とサブモジュールフレーム４０との間に複数の空間部５２、５２、・・・が生じ、斯かる空間部５２、５２、・・・が、発光管３１、３１、・・・から生じる雑音の原因ともなる。
【００４９】
そこで、本実施の形態１では、サブモジュールフレーム４０と発光管アレイとの間に硬化性樹脂、例えば熱硬化性樹脂により中間層を形成し、中間層の形成過程においてアドレス電極シート３３の背面側の表面形状に生じている凹凸を吸収する点に特徴を有している。図６は、本発明の実施の形態１に係る発光管アレイ型表示サブモジュールの概略構成を示す、発光管３１に直交する面での断面図である。図６（ａ）は、本実施の形態１に係る中間層６０を含む発光管アレイ型表示サブモジュールの全体構成を、図６（ｂ）は中間層６０の構成を、それぞれ示している。
【００５０】
図６（ａ）に示すように、発光管アレイは、サブモジュールフレーム４０表面に設けた熱硬化性樹脂からなる中間層６０へ埋め込むように配設し、発光管アレイが中間層６０の所定の深さまで埋まった状態で加熱等して硬化させることにより、中間層６０を形成する。このようにして、図６（ｂ）に示す断面形状を有する中間層６０を形成することで、アドレス電極シート３３の背面側の表面形状にいかなる凹凸が生じていようと、生じている凹凸に沿った形状を有する中間層６０を形成することができ、アドレス電極シート３３の背面側の凹凸の存在等に起因する表示電極シート３５の表面形状に凹凸は生じることがなく、表示電極シート３５の粘着層３７と発光管３１、３１、・・・との間に剥離部４１も生じない。また、図４の空間部４３（図５の空間部５２）についても熱硬化性樹脂が充填される。なお、中間層６０に用いる熱硬化性樹脂は、加熱前には発光管アレイよりも十分に柔軟で、アドレス電極シート３３の背面側の表面形状に生じているいかなる凹凸にも沿った形状となる必要があり、また熱硬化後においても発光管アレイよりも柔軟で、発光管アレイに不要な力が加わらない必要がある。
【００５１】
図７は、本発明の実施の形態１に係る発光管アレイ型表示サブモジュールの発光管３１に沿ったアドレス電極３２を含む面での例示断面図である。図７（ａ）は、本実施の形態１に係る中間層６０を含む発光管アレイ型表示サブモジュールの全体構成を、図７（ｂ）は中間層６０の構成を、それぞれ示している。
【００５２】
図７（ａ）に示すように、発光管アレイは、サブモジュールフレーム４０表面に設けた熱硬化性樹脂からなる中間層６０へ埋め込むように配設し、発光管アレイが中間層６０の所定の深さまで埋まった状態で加熱等して硬化させることにより、中間層６０を形成する。このようにして、図７（ｂ）に示す断面形状を有する中間層６０を形成することで、発光管アレイの背面に複数の凹凸部７１、７１、・・・が生じていようと、凹凸部７１、７１、・・・に沿った形状を有する中間層６０にて吸収することができ、凹凸部７１、７１、・・・の存在等により生じていた表示電極シート３５の表面形状に凹凸は生じることがなく、発光管３１に変形が生じることもない。
【００５３】
なお、中間層６０の厚みは、表示電極シート３５と発光管アレイとを接着する粘着層３７の接着剤の種類、アドレス電極シート３３と発光管アレイとを接着する粘着層３８の接着剤の種類、及び中間層６０の材質によって変動する。本実施の形態１では、中間層６０に例えば溶剤型のアクリル系樹脂等の熱硬化性樹脂を用いている。用いる合成樹脂の種類を最少にするためには、粘着層３７及び粘着層３８についても、溶剤型のアクリル系樹脂を用いることが好ましい。
【００５４】
しかし、溶剤型のアクリル系樹脂は、互いに接触することで、両者が溶融する、あるいは化学反応が生じることにより、剥離等の障害が生じるおそれがある。そこで、アドレス電極シート３３のうち、サブモジュールフレーム４０から最も近接しているアドレス電極シート３３の高さを限度として熱硬化性樹脂を注入し、中間層６０を形成する。
【００５５】
図８は、本発明の実施の形態１に係る発光管アレイ型表示サブモジュールの概略構成を示す、発光管３１に直交する面での断面図である。図８（ａ）は、本実施の形態１に係る中間層６０を含む発光管アレイ型表示サブモジュールの全体構成を、図８（ｂ）は中間層６０の構成を、それぞれ示している。
【００５６】
図８（ａ）に示すように、発光管アレイは、サブモジュールフレーム４０の表面に設けた熱硬化性樹脂からなる中間層６０へ埋め込むように配設し、アドレス電極シート３３ののうち、サブモジュールフレーム４０から最も近接しているアドレス電極シート３３の高さを限度として中間層６０を形成している。このようにして、図８（ｂ）に示す断面形状を有する薄型の中間層６０を形成することで、アドレス電極シート３３の背面側の表面形状にいかなる凹凸が生じていようと、生じている凹凸に沿った形状を有する中間層６０を形成することができ、アドレス電極シート３３の背面側の表面形状に生じている凹凸の存在等に起因する表示電極シート３５の表面形状に凹凸が生じることがなく、表示電極シート３５の粘着層３７と発光管３１、３１、・・・との間に剥離部４１も生じない。また、図４の空間部４３（図５の空間部５２）についても熱硬化性樹脂が充填される。
【００５７】
さらに、合成樹脂の種類が１種類で足りるとともに、中間層６０を形成する合成樹脂の分量も最小限で済むことから、低コストで効果的な中間層６０を形成することができる。また、中間層６０の厚みを薄くすることにより、中間層６０が硬化する前の状態で発光管アレイの正面側（表示電極側）から圧力が加わった場合であっても、中間層６０と粘着層３８とが接触しにくく、より安全に製造することが可能となる。
【００５８】
以上のように本実施の形態１によれば、アドレス電極シート３３の背面側の表面形状にいかなる凹凸が生じていようと、生じている凹凸に沿った形状を有する中間層６０を容易に形成することができ、アドレス電極シート３３の背面側の表面形状に生じている凹凸の存在等に起因する表示電極シート３５の表面形状に凹凸は生じることがなく、粘着層３７と発光管３１、３１、・・・との間の剥離部４１も、粘着層４２と発光管３１、３１、・・・との間の空間部４３（空間部５２）も生じない。したがって、発光管３１内の電気的特性の劣化が生じることがなく、印加する駆動電圧も設計電圧で足りることから、高画質を維持した大画面の表示装置を具現化することが可能となる。
【００５９】
（実施の形態２）
本実施の形態２では、中間層６０に例えば無溶剤型のエポキシ系樹脂等の熱硬化性樹脂を用い、粘着層３７及び粘着層３８には、例えば溶剤型のアクリル系樹脂等の熱硬化性樹脂を用いる点で、実施の形態１と相違する。無溶剤型のエポキシ系樹脂は、たとえ溶剤型のアクリル系樹脂と接触した場合であっても互いに溶解せず、化学反応も生じないことから、中間層６０を発光管３１、３１、・・・を支持することが可能な領域にまで形成することができる。なお、中間層６０には、無溶剤型のアクリル系樹脂を用いても良い。
【００６０】
図９は、本発明の実施の形態２に係る発光管アレイ型表示サブモジュールの概略構成を示す、発光管３１に直交する面での断面図である。図９（ａ）は、本実施の形態２に係る中間層６０を含む発光管アレイ型表示サブモジュールの全体構成を、図９（ｂ）は中間層６０の構成を、それぞれ示している。
【００６１】
図９（ａ）に示すように、発光管アレイは、サブモジュールフレーム４０の表面に設けた熱硬化性樹脂からなる中間層６０へ埋め込むように配設し、アドレス電極シート３３間の隙間を通過して、表示電極シート３５まで熱硬化性樹脂を充填し、中間層６０を形成している。このようにして、図９（ｂ）に示す断面形状を有する厚膜型の中間層６０を形成することで、アドレス電極シート３３の背面側の表面形状にいかなる凹凸が生じていようと、生じている凹凸に沿った形状を有する中間層６０を形成することができ、アドレス電極シート３３の背面側の表面形状に生じている凹凸の存在等に起因する表示電極シート３５の表面形状に凹凸は生じることがなく、表示電極シート３５の粘着層３７と発光管３１、３１、・・・との間に剥離部４１も生じない。また、図４の空間部４３（図５の空間部５２）についても熱硬化性樹脂が充填される。
【００６２】
また、中間層６０により発光管３１、３１、３１を一組ずつ支持することができることから、発光管３１に振動が生じにくく、発光管３１から雑音が生じるのを効果的に抑制することも可能となる。
【００６３】
図１０は、発光管３１ごとにアドレス電極シート３３を設けた場合の、本発明の実施の形態２に係る発光管アレイ型表示サブモジュールの概略構成を示す、発光管３１に直交する面での断面図である。図１０（ａ）は、本実施の形態２に係る中間層６０を含む発光管アレイ型表示サブモジュールの全体構成を、図１０（ｂ）は中間層６０の構成を、それぞれ示している。
【００６４】
図１０（ａ）に示すように、発光管アレイは、サブモジュールフレーム４０の表面に設けた熱硬化性樹脂からなる中間層６０へ埋め込むように配設し、アドレス電極シート３３間の隙間を通過して、発光管３１ごとにその周辺を熱硬化性樹脂で充填し、表示電極シート３５まで到達する中間層６０を形成している。このようにして、図１０（ｂ）に示す断面形状を有する厚膜型の中間層６０を形成することで、アドレス電極シート３３の背面側の表面形状にいかなる凹凸が生じていようと、生じている凹凸に沿った形状を有する中間層６０を形成することができ、アドレス電極シート３３の背面側の表面形状に生じている凹凸の存在等に起因する表示電極シート３５の表面形状に凹凸は生じることがなく、表示電極シート３５の粘着層３７と発光管３１、３１、・・・との間に剥離部４１も生じない。また、図４の空間部４３（図５の空間部５２）についても熱硬化性樹脂が充填される。
【００６５】
また、中間層６０により発光管３１ごとに支持することができることから、発光管３１に振動がより生じにくく、発光管３１から雑音が生じるのをより効果的に抑制することが可能となる。
【００６６】
以上のように本実施の形態２によれば、粘着層３７、３８と中間層６０とが接触した場合であっても、互いに化学反応が生じることがなく、発光管アレイの品質を損ねることなくサブモジュールフレーム４０に発光管アレイを貼り付けることができる。また、発光管３１単体ごとに所定の位置に固定するよう中間層６０にて支持することができることから、発光管３１の振動に起因する固有の雑音の発生もより効果的に防止することが可能となる。
【００６７】
（実施の形態３）
本実施の形態３では、実施の形態２と同様、中間層６０に例えば無溶剤型のエポキシ系樹脂等の熱硬化性樹脂を用い、粘着層３７及び粘着層３８として、例えば溶剤型のアクリル系樹脂を用いる点で、実施の形態１と相違する。無溶剤型のエポキシ系樹脂は、たとえ溶剤型のアクリル系樹脂と接触した場合であっても互いに溶解せず、化学反応も生じないことから、中間層６０を発光管３１、３１、・・・を支持することが可能な領域にまで形成することができる。なお、中間層６０には、無溶剤型のアクリル系樹脂を用いても良い。
【００６８】
また、中間層６０にエポキシ系樹脂を用い、粘着層３８にシリコン等のゴム系樹脂を用いても良い。さらに、粘着層３７にシリコン等のゴム系樹脂を用いても良いし、溶剤型のアクリル系樹脂を用いても良い。この場合、エポキシ系樹脂とゴム系樹脂とは、たとえ接触した場合であっても互いに溶解せず、化学反応も生じないことから、発光管３１、３１、・・・を支持することが可能な高さにまで中間層６０を形成することができる。
【００６９】
しかし、溶剤型のアクリル系樹脂は、シリコン等のゴム系樹脂と接触した場合にも、両者が溶融する、あるいは化学反応が生じて剥離等の障害が生じるおそれがある。そこで、粘着層３７に接触しない高さを限度として熱硬化性樹脂を注入し、中間層６０を形成する。
【００７０】
図１１は、発光管３１、３１、３１の一組ごとにアドレス電極シート３３を設けた場合の、本発明の実施の形態３に係る発光管アレイ型表示サブモジュールの概略構成を示す、発光管３１に直交する面での断面図である。図１１（ａ）は、本実施の形態３に係る中間層６０を含む発光管アレイ型表示サブモジュールの全体構成を、図１１（ｂ）は中間層６０の構成を、それぞれ示している。
【００７１】
図１１（ａ）に示すように、発光管アレイは、サブモジュールフレーム４０の表面に設けた熱硬化性樹脂からなる中間層６０へ埋め込むように配設し、アドレス電極シート３３間の隙間を通過して、発光管３１の下半分周辺に熱硬化性樹脂を充填し、中間層６０を形成している。このようにして、図１１（ｂ）に示す断面形状を有する厚膜型の中間層６０を形成することで、アドレス電極シート３３の背面側の表面形状にいかなる凹凸が生じていようと、生じている凹凸に沿った形状を有する中間層６０を形成することができ、アドレス電極シート３３の背面側の表面形状に生じている凹凸の存在等に起因する表示電極シート３５の表面形状に凹凸は生じることがなく、表示電極シート３５の粘着層３７と発光管３１、３１、・・・との間に剥離部４１も生じない。また、図４の空間部４３（図５の空間部５２）についても熱硬化性樹脂が充填される。
【００７２】
また、中間層６０により発光管３１、３１、３１を一組ずつ支持することができることから、発光管３１に振動がより生じにくく、発光管３１から雑音が生じるのを効果的に抑制することが可能となる。
【００７３】
図１２は、発光管３１ごとにアドレス電極シート３３を設けた場合の、本発明の実施の形態３に係る発光管アレイ型表示サブモジュールの概略構成を示す、発光管３１に直交する面での断面図である。図１２（ａ）は、本実施の形態３に係る中間層６０を含む発光管アレイ型表示サブモジュールの全体構成を、図１２（ｂ）は中間層６０の構成を、それぞれ示している。
【００７４】
図１２（ａ）に示すように、発光管アレイは、サブモジュールフレーム４０の表面に設けた熱硬化性樹脂からなる中間層６０へ埋め込むように配設し、アドレス電極シート３３間の隙間を通過して、発光管３１ごとにその下半分周辺を熱硬化性樹脂で充填し、中間層６０を形成している。このようにして、図１２（ｂ）に示す断面形状を有する厚膜型の中間層６０を形成することで、アドレス電極シート３３の背面側の表面形状にいかなる凹凸が生じていようと、生じている凹凸に沿った形状を有する中間層６０を形成することができ、アドレス電極シート３３の背面側の表面形状に生じている凹凸の存在等に起因する表示電極シート３５の表面形状に凹凸は生じることがなく、表示電極シート３５の粘着層３７と発光管３１、３１、・・・との間に剥離部４１も生じない。また、図４の空間部４３（図５の空間部５２）についても熱硬化性樹脂が充填される。
【００７５】
また、中間層６０により発光管３１ごとに支持することができることから、発光管３１に振動がより生じにくく、発光管３１から雑音が生じるのをより効果的に抑制することが可能となる。さらに、粘着層３７の材質は問わないことから、より安価な合成樹脂を選択することでコストダウンを図ることも可能となる。
【００７６】
以上のように本実施の形態３によれば、粘着層３８と中間層６０とが接触した場合であっても、互いに化学反応が生じることがなく、発光管アレイの品質を損ねることなくサブモジュールフレーム４０に発光管アレイを貼り付けることができる。また、発光管３１単体ごとに所定の位置に固定するよう中間層６０にて支持することができることから、発光管３１の振動に起因する固有の雑音の発生もより効果的に防止することが可能となる。
【００７７】
なお、上述した実施の形態１乃至３では、サブモジュールフレームとして別個の構造体を用いることを前提としているが、中間層６０と同様の材質で形成しても良い。この場合、中間層６０は、エポキシ系樹脂又はアクリル系樹脂を用いることができる。
【００７８】
（実施の形態４）
本発明の実施の形態４に係る発光管アレイ型表示サブモジュールの構成は、実施の形態１と同様であることから、同一の符号を付することにより詳細な説明を省略する。本実施の形態４では、中間層６０として吸音機能を有するゲル状の材料を用いることにより、発光管アレイから発生する異音を吸収する点で実施の形態１と相違する。
【００７９】
すなわち、２枚の発光管アレイ型表示サブモジュール３０、３０同士を接続する場合、アドレス電極３２、３２、・・・が形成されているアドレス電極シート３３を端部で背面側へ折り曲げて接続することにより、発光管アレイ間に可能な限り隙間が生じないよう工夫されている。これは、表示電極３４、３４、・・・が形成されている表示電極シート３５についても同様である。
【００８０】
したがって、発光管３１は非常に接近した状態で構成されており、駆動電圧が印加された場合には発光管３１、３１、・・・内部の圧力変動、温度変化等に起因して発光管３１、３１、・・・の形状が微妙に変動する。また、発光管３１、３１、・・・自体の製造精度にもばらつきがあり、管径等のサイズの不一致等の要因も互いに関連しあうことにより、駆動入力パターンによっては発光管アレイに固有の振動モードと共振し、発光管アレイ表面から異音が発生するという現象が生じる。
【００８１】
発光管アレイ表面から発生した異音は、表示電極シート３５を伝播し、表示装置の正面側から画像を見ている者に対して発せられる。斯かる異音は、画像を見る者にとっては不快感を喚起する一因となる。
【００８２】
そこで、本実施の形態４では、発光管アレイのアドレス電極シート３３、３３、・・・の背面側の中間層６０を、吸音機能を有するゲル状の材料とすることにより音吸収層を形成し、中間層６０を支持する硬質の背面支持プレート７０を音反射機能を有する材料とすることにより音反射層を形成している。図１３は、本発明の実施の形態４に係る発光管アレイ型表示サブモジュールの概略構成を示す、発光管に直交する面での断面図である。
【００８３】
図１３に示すように、アドレス電極シート３３、３３、・・・の背面側に、音吸収層としてゲル状の中間層６０を設けてある。中間層６０は、硬質の背面支持プレート７０とアドレス電極シート３３、３３、・・・との間に挟持されており、アドレス電極シート３３、３３、・・・の背面側の表面形状に沿って変形する。硬質の背面支持プレート７０は、音反射層として機能する。
【００８４】
斯かる構造とすることにより、発光管アレイ表面から異音が発生した場合、まず中間層６０にて一定の音エネルギーが吸収され、硬質の背面支持プレート７０にて一定量の音が発光管アレイ側へ反射される。続いて、硬質の背面支持プレート７０で反射された音について、再度中間層６０にて一定の音エネルギーが吸収されることにより、発光管アレイ表面から発生した異音を小さくすることが可能となる。
【００８５】
音吸収層として機能する中間層６０は、例えばヤング率が１０〜２００ＫＰａの軟質材を用いることが好ましい。具体的には、透光性を有する軟質ゲルである、シリコンゲル、ポリエチレンゲル、アクリルゲル、ウレタンゲル、アクリルウレタンゲル、ブタジエンゲル、イソプレンゲル、ブチルゲル、スチレンブタジエンゲル、エチレン酢酸ビニル共重合体ゲル、エチレン−プロピレン−ジエン三元共重合体ゲル、フッ素ゲル等がより望ましい。
【００８６】
音反射層として機能する背面支持プレート７０としては、例えばヤング率が１０００〜４０００ＫＰａの硬質材を用いることが好ましい。具体的には、透光性を有する高分子フィルムに用いることができる材質である、ポリエチレンテレフタレート、ポリエーテルサルフォン、ポリスチレン、ポリエチレンナフタレート、ポリアリレート、ポリエーテルエーテルケトン、ポリカーボネート、ポリエチレン、ポリプロピレン、ナイロン６等のポリアミド、ポリイミド、トリアセチルセルロース等のセルロース系樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物等の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物又はフッ素系化合物の共重合体、ポリエチレンオキシド等のポリエーテル、エポキシ樹脂、ポリビニルアルコール、ポリビニルブチラール等がより望ましい。
【００８７】
以上のように本実施の形態４によれば、中間層６０を音吸収層として機能させることにより、発光管アレイ表面から発生する固有の異音が表示装置の正面側から漏れ出るのを効果的に抑制することができ、画像を見る者に音による不快感を与えることがない表示装置を提供することが可能となる。
【００８８】
また、上述した実施の形態４は実施の形態１の構成に基づいて説明しているが、中間層６０をゲル状の材料とすることにより、実施の形態２及び３の構成であっても同等の効果を奏することは言うまでもない。
【００８９】
その他、本発明の趣旨の範囲内であれば多種の変形、置換等が可能である。例えば中間層６０及び粘着層３７、３８の材質についても、中間層６０をどこまで充填するかに応じて、上述した材質に限定されることなく選択することが可能であることは言うまでもない。
【符号の説明】
【００９０】
３１  発光管
３２  アドレス電極
３３  アドレス電極シート
３４  表示電極（対）
３５  表示電極シート
３７  粘着層（第二の接着層）
３８  粘着層（第一の接着層）
４０  サブモジュールフレーム
６０  中間層
７０  背面支持プレート
【図１】
2010027598.tif 000003
【図２】
2010027598.tif 000004
【図３】
2010027598.tif 000005
【図４】
2010027598.tif 000006
【図５】
2010027598.tif 000007
【図６】
2010027598.tif 000008
【図７】
2010027598.tif 000009
【図８】
2010027598.tif 000010
【図９】
2010027598.tif 000011
【図１０】
2010027598.tif 000012
【図１１】
2010027598.tif 000013
【図１２】
2010027598.tif 000014
【図１３】
2010027598.tif 000015